(57)【要約】  本発明はセルラー通信システムにおけるコンテンツ放送に関する。セルラー通信システムの基地局は、コンテンツアイテムと複数のコンテンツアイテムの少なくとも第１提示表示とを含むコンテンツアイテムシーケンス情報を１つ以上の基地局１０１からユーザ機器１０７に送信する。ユーザ機器は複数のコンテンツアイテム及びコンテンツアイテムシーケンス情報を受信する受信機１０９を含む。ユーザ機器は複数のコンテンツアイテムを保存するコンテンツアイテムストア１１１を含む。提示コントローラ１１３は第１提示表示を処理し、これに従いコンテンツアイテムストアから適切なコンテンツアイテムを取出し、そのコンテンツアイテムを提示装置１１５に転送するように動作し、提示装置は取出された複数のコンテンツアイテムを第１提示表示に従い提示する。提示表示はユーザプロファイルに従い生成できるので、特にユーザをターゲットとして提示信号を配信できる。
2007504689.tif 000002
【特許請求の範囲】
【請求項１】
第１の複数のコンテンツアイテムを１つ以上のユーザ機器に送信するためのコンテンツアイテム送信手段（１０１）と、
第１の複数のコンテンツアイテムのサブセットである第２の複数のコンテンツアイテムのうちの少なくとも第１の提示表示を含むコンテンツアイテムシーケンス情報を送信するためのコンテンツアイテムシーケンス情報送信手段（１０１）とを備えるセルラー通信システムであって、
同１つ以上のユーザ機器は、
第１の複数のコンテンツアイテムを受信するためのコンテンツアイテム受信手段（１０９）と、
第１の複数のコンテンツアイテムを保存するためのコンテンツアイテム保存手段（１１１）と、
コンテンツアイテムシーケンス情報を受信するためのコンテンツアイテムシーケンス情報受信手段（１０９）と、
第１の提示表示に応答して、コンテンツアイテム保存手段から第２の複数のコンテンツアイテムを取り出すためのコンテンツアイテム取出手段（１１３）と、
第１の提示表示に応答して、第２の複数のコンテンツアイテムを提示するためのコンテンツアイテム提示手段（１１３），（１１５）とを含むセルラー通信システム。
【請求項２】
送信手段は利用可能な未使用の容量が存在するときに複数のコンテンツアイテムを送信するように動作する請求項１に記載のセルラー通信システム。
【請求項３】
送信手段は第１の複数のコンテンツアイテムの送信を反復するように動作する請求項１又は２に記載のセルラー通信システム。
【請求項４】
コンテンツアイテムシーケンス情報は複数の提示表示を含む請求項１乃至３のいずれか一項に記載のセルラー通信システム。
【請求項５】
複数の提示表示は第１の複数のコンテンツアイテムのコンテンツアイテムの異なる提示シーケンスに相当する請求項４に記載のセルラー通信システム。
【請求項６】
ユーザ機器は複数の提示表示から第１の提示表示を選択するための提示表示選択手段を含む請求項４又は５に記載のセルラー通信システム。
【請求項７】
提示表示選択手段は提示表示選択をユーザから受信するためのユーザ入力手段を含む請求項４乃至６のいずれか一項に記載のセルラー通信システム。
【請求項８】
ユーザ機器は第１の提示表示の選択に関連する嗜好情報をセルラー通信システムのネットワークに送信するための嗜好情報送信手段を含み、かつ、ネットワークは嗜好情報に応答してユーザプロファイルを生成するためのユーザプロファイル生成手段を含む請求項６又は７に記載のセルラー通信システム。
【請求項９】
ユーザプロファイルを構築するための手段はユーザ加入者情報に応答してユーザプロファイルを生成するように動作する請求項８記載のセルラー通信システム。
【請求項１０】
ネットワークはユーザプロファイルに応答して提示表示を生成するための提示表示生成手段を含む請求項８又は９に記載のセルラー通信システム。
【請求項１１】
複数のユーザ機器に関連するユーザグループ特性を判定するためのユーザグループ特性判定手段を含む請求項１乃至１０のいずれか一項に記載のセルラー通信システム。
【請求項１２】
ユーザグループ特性に応答して提示表示を生成する提示表示生成手段を含む請求項１１に記載のセルラー通信システム。
【請求項１３】
ユーザグループ特性判定手段は嗜好情報に応答してユーザグループ特性を生成するように動作する、請求項８乃至１０のいずれか一項に従属する請求項１１又は１２に記載のセルラー通信システム。
【請求項１４】
第１の複数のユーザコンテンツのサブセットは広告コンテンツアイテムを含む請求項１乃至１３のいずれか一項に記載のセルラー通信システム。
【請求項１５】
第１の複数のコンテンツアイテムは第１のエアインターフェースリンクタイプを通して送信される第１のサブセットのコンテンツアイテム及び第２のエアインターフェースリンクタイプを通して送信される第２のサブセットのコンテンツアイテムを含む請求項１乃至１４のいずれか一項に記載のセルラー通信システム。
【請求項１６】
第１のエアインターフェースリンクタイプはブロードキャストリンクタイプであり、かつ、第２のエアインターフェースリンクタイプはナローキャストリンクタイプである請求項１５に記載のセルラー通信システム。
【請求項１７】
ナローキャストリンクタイプはユーザ機器専用リンクタイプである請求項１６に記載のセルラー通信システム。
【請求項１８】
コンテンツアイテムシーケンス情報は第１のエアインターフェースリンクタイプを通して送信される第１の提示表示セット及び第２のエアインターフェースリンクタイプを通して送信される第２の提示表示セットを含む請求項１乃至１７のいずれか一項に記載のセルラー通信システム。
【請求項１９】
第１のエアインターフェースリンクタイプはブロードキャストリンクタイプであり、かつ、第２のエアインターフェースリンクタイプはナローキャストリンクタイプである請求項１８に記載のセルラー通信システム。
【請求項２０】
ナローキャストリンクタイプはユーザ機器専用リンクタイプである請求項１９に記載のセルラー通信システム。
【請求項２１】
提示表示は複数のコンテンツアイテムの再生リストを含む請求項１乃至２０のいずれか一項に記載のセルラー通信システム。
【請求項２２】
リアルタイム提示信号を受信するための手段を含み、
コンテンツアイテム提示手段は第１の提示表示に応答してリアルタイム提示信号又はコンテンツアイテムを提示するように動作する請求項１乃至２１のいずれか一項に記載のセルラー通信システム。
【請求項２３】
セルラー通信システムの加入者装置であって、
セルラー通信システムのエアインターフェースを通して第１の複数のコンテンツアイテムを受信するためのコンテンツアイテム受信手段（１０９）と、
第１の複数のコンテンツアイテムを保存するためのコンテンツアイテム保存手段（１１１）と、
第１の複数のコンテンツアイテムのサブセットである第２の複数のコンテンツアイテムのうちの少なくとも第１の提示表示を含むコンテンツアイテムシーケンス情報を受信するためのコンテンツアイテムシーケンス情報受信手段（１０９）と、
第１の提示表示に応答して、コンテンツアイテム保存手段から第２の複数のコンテンツアイテムを取り出すためのコンテンツアイテム取出手段（１１３）と、
第１の提示表示に応答して、取り出した複数のコンテンツアイテムを提示するためのコンテンツアイテム提示手段（１１３），（１１５）とを備える加入者装置。
【請求項２４】
コンテンツアイテムシーケンス情報は複数の提示表示を含み、かつ、ユーザ機器は複数の提示表示から第１の提示表示を選択するための提示表示選択手段を含む請求項２３に記載の加入者装置。
【請求項２５】
提示表示選択手段は提示表示選択をユーザから受信するためのユーザ入力手段を含む請求項２４に記載の加入者装置。
【請求項２６】
第１の提示表示の選択に関連する嗜好情報をセルラー通信システムのネットワークに送信するための嗜好情報送信手段を含む請求項２４又は２５に記載の加入者装置。
【請求項２７】
第１の複数のコンテンツアイテムを１つ以上のユーザ機器に送信する工程と、
第１の複数のコンテンツアイテムのサブセットである第２の複数のコンテンツアイテムのうちの少なくとも第１の提示表示を含むコンテンツアイテムシーケンス情報を送信する工程とからなるセルラー通信システムの動作方法であって、
同１つ以上のユーザ機器は、
第１の複数のコンテンツアイテムを受信する工程と、
第１の複数のコンテンツアイテムを保存する工程と、
コンテンツアイテムシーケンス情報を受信する工程と、
第１の提示表示に応答して、保存するための手段から第２の複数のコンテンツアイテムを取り出す工程と、
第１の提示表示に応答して、第２の複数のコンテンツアイテムを提示する工程とを実行する方法。
【発明の詳細な説明】
【技術分野】
【０００１】
本発明はセルラー通信システム及びその動作方法に関する。詳細には、本発明はユーザに提示するためのコンテンツの送信に関する。
【背景技術】
【０００２】
番組のラジオ放送は長年に渡り広く使用されてきた。従来のラジオ放送では、連続的なコンテンツ信号が放送局によって集中的に生成される。連続的なコンテンツ信号は広い領域に向けて一つ以上の無線送信機から放送される。無線信号は無線受信機により受信され、無線受信機は受信信号を単純に復調してコンテンツ信号を生成し、このコンテンツ信号が適切な方法によりユーザに提示される。例えば、オーディオ信号は従来の民生用無線受信機によって生成され、そしてオーディオビジュアル信号はテレビ受信機によって生成される。
【０００３】
従来のラジオ放送システムでは、連続的なリアルタイムコンテンツ信号が生成され、放送され、そして受信機で再生される。通常、受信機はその時点で受信された信号を再生するため、ラジオ放送局によって生成され、かつ即座に送信されるコンテンツ信号を再生する。
【発明の開示】
【発明が解決しようとする課題】
【０００４】
この手法によって、簡単かつ複雑性の低いシステムが実現し、特に非常に簡単かつ安価な受信機の使用が可能になる。しかしながら、同じ放送信号が全てのユーザに送信されるので、全てのユーザによって再生されるコンテンツ信号は本質的に同じである。従って、特に個人又は小さなユーザグループに適するコンテンツを提供するという柔軟性、可能性、及び機会が非常に小さい。例えば、同じ広告コンテンツが全てのユーザに送信されるので、異なるユーザグループに、これらのグループが特に注目する広告を提供することができない。
【０００５】
通常、従来のラジオ放送システムはアナログ無線伝送を基本とするが、最近の１０年間では、デジタルラジオ放送が主流になってきている。例えば、ＤＡＢ（Ｄｉｇｉｔａｌ  Ａｕｄｉｏ  Ｂｒｏａｄｃａｓｔ：デジタルオーディオ放送）として知られるデジタル放送システムが標準規格化され、そして欧州のほとんどの国を含む多くの地域で展開されている。ＤＡＢはデジタル技術を利用するが、使用する放送方法は、連続的なコンテンツ信号が生成され、放送されるという点で、アナログ放送の場合と本質的に同じである。同様に、ＤＡＢ受信機はリアルタイムコンテンツ信号を、信号を受信しながら再生する。更に、ＤＡＢ信号はまた、通信領域の全てのユーザに放送されるので、コンテンツをカスタマイズすることができる可能性は極めて低い。
【０００６】
従って、従来のラジオ放送システムはコンテンツ信号を配信する安価で信頼性の高い手段であるが、本質的に柔軟性に欠け、かつ特定の個人又はグループをコンテンツのターゲットとするためには大きな制約を受ける。
【０００７】
この数十年、移動体通信用セルラー通信システムが益々普及している。セルラー通信システムは元々、移動電話サービスを提供することのみを目的としてきたが、システムが成熟し、かつ新規の機能追加が行なわれ、新規のシステムが開発されるに従い、セルラー通信システムは益々他のサービスに使用されるようになっている。しかしながら、従来のラジオ放送システムとは異なり、セルラー通信システムは、大きなユーザグループ向けの放送ではなく、個々のユーザ機器との通信の実現に重きを置いて構成される。専用通信リンクによってユーザ機器にコンテンツを送信することが可能であるが、この手段では、同じコンテンツを各ユーザ機器に個々に送信する必要があるため、コンテンツを放送するためには非常に効率が悪く、かつ多くのリソースを必要とする手法である。
【０００８】
ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）のような幾つかのセルラー通信システムも、データを多様なユーザ機器に放送するための或る手段となる。しかしながら、このような放送手段は一般的に、リアルタイムの連続的なコンテンツ信号を多くのユーザに放送するのには適していない。例えば、ブロードキャストチャネル（ｂｒｏａｄｃａｓｔ  ｃｈａｎｎｅｌ）は通常、異なるサービスの間で、例えば多くの時分割多重サービスを構築することにより共有される。更に、ブロードキャストチャネルは通常、利用可能な容量のうちの小さな部分のみが放送目的に割り当てられるので、容量が小さい。更に通常、セルラー通信システムにおいて必要なサービス品質パラメータを達成することは難しい。例えば、ブロードキャストチャネルで通信することにより生じる遅延は通常、非常に大きく、かつ不安定であるので、リアルタイムコンテンツ信号の信頼性の高い通信は保証されない。
【０００９】
更に、セルラー通信システムのブロードキャストチャネルを使用してリアルタイムコンテンツ信号を放送し得る場合においても、このリアルタイムコンテンツ信号は少なくとも１つのセルの全てのユーザに放送されるので、個人及び小グループをターゲットとする配信に関して、従来のラジオ放送システムと同じ不具合（程度は小さいが）を生じ易い。
【００１０】
従って、セルラー通信システムを改良すれば有利であり、特にコンテンツをユーザに合わせてカスタマイズするために柔軟性が高く、性能が高く、小さい容量で済み、機会が増える形でのコンテンツの通信を可能にするセルラー通信システムが有利となる。
【課題を解決するための手段】
【００１１】
従って、本発明は上に述べた不具合の一つ以上を単独の方法、又は幾つかを組み合わせた方法により、好適に軽減する、低減する、又は無くすように試みる。
本発明の第１の態様では、セルラー通信システムを提供する。このセルラー通信システムは、第１の複数のコンテンツアイテムを１つ以上のユーザ機器に送信するためのコンテンツアイテム送信手段と、第１の複数のコンテンツアイテムのサブセットである第２の複数のコンテンツアイテムのうちの少なくとも第１の提示表示を含むコンテンツアイテムシーケンス情報を送信するためのコンテンツアイテムシーケンス情報送信手段とを備えるセルラー通信システムであって、１つ以上のユーザ機器は、第１の複数のコンテンツアイテムを受信するためのコンテンツアイテム受信手段と、第１の複数のコンテンツアイテムを保存するためのコンテンツアイテム保存手段と、コンテンツアイテムシーケンス情報を受信するためのコンテンツアイテムシーケンス情報受信手段と、第１の提示表示に応答して、コンテンツアイテム保存手段から第２の複数のコンテンツアイテムを取り出すためのコンテンツアイテム取出手段と、第１の提示表示に応答して、第２の複数のコンテンツアイテムを提示するためのコンテンツアイテム提示手段とを含む。
【００１２】
本発明によって、セルラー通信システムにおいてコンテンツを放送する非常に柔軟性の高い方法が可能となる。単に第１の表示提示を修正することにより、第１の複数のコンテンツアイテムから広範な種々の異なるコンテンツ信号を生成することができる。従って、新規のコンテンツ信号を受信する必要を生じることなく、異なる提示が可能である。更に、本発明によって、単に適切な提示表示を生成して送信することにより、１人のユーザ又は小ユーザグループに合わせてコンテンツの提示をカスタマイズすることができるため、高度なユーザ・ターゲティング即ち最適化が可能となる。従って、例えば、単にコンテンツアイテムグループの異なるサブセットの選択、異なる提示順序及び異なる繰り返し頻度のうちの１つ以上を含む提示表示により、同じコンテンツアイテムグループを使用して非常に異なる提示を生成することができる。
【００１３】
本発明によって更に、セルラー通信システムにおいて非常に効率的なコンテンツ放送が可能となる。例えば、提示の要求がある度にコンテンツアイテムを送信する必要がない。コンテンツアイテム、例えばポピュラーソングを繰り返す必要がある場合にも、提示表示は単に全てのインスタンスに関して同じコンテンツアイテムを参照すればよい。ラジオ番組のような多くの放送コンテンツは非常に多くの回数に渡って繰り返されるので、リソース消費を大きく減らすことができる。
【００１４】
更に、本発明によって、使用する放送接続のサービス品質パラメータに関する要件を大きく減らすことができる。例えば、ユーザ機器が提示する信号は保存済みコンテンツアイテムに基づいているため、通常、放送信号の遅延及び中断による影響を受けない。従って、本発明によって、使用する通信リンクの柔軟性が極めて高くなるとともに、例えば、他のサービスに対する支障が最小限になるように放送を行なうことができる。
【００１５】
従って、本発明によりセルラー通信システムにおいて極めて容易にコンテンツを放送することを可能とすることによって、性能の向上、通信要件の緩和、リソース消費の低減及び柔軟性の向上のうちの１つ以上が得られる。
【００１６】
コンテンツアイテムは、例えば歌又はミュージックアイテムのようなオーディオコンテンツアイテム、ビデオコンテンツアイテム及びオーディオビジュアルコンテンツアイテムのうちの１つ以上を含むことができる。提示表示は、例えば連続的なリアルタイムコンテンツ信号に対応するコンテンツアイテムの組み合わせのシーケンス及びタイミングのうちの少なくとも一方の表示を含む番組放送リストとすることができる。
【００１７】
本発明の一の特徴によれば、送信手段は利用可能な未使用の容量が存在するときに複数のコンテンツアイテムを送信するように動作する。
通常、セルラー通信システムは、予測される通信要件、特に予測されるピーク時の要件を考慮に入れることにより決定される所定の通信容量を提供することができるように構成される。しかしながら、通常、通信要求は時間とともに、詳細には、２４時間の周期の間に大きく変わる。好適には、セルラー通信システムは、セルラー通信システムの容量の全部が利用されてはいないことを判定する手段を備え、この判定に従ってコンテンツアイテムを送信する手段がコンテンツアイテムを送信するように動作する。これによって、セルラー通信システムにおいて効率の高い放送が可能になり、他のサービスに対する影響を低減し、放送サービスをサポートするための追加のリソースに対する要求を低減することができる。
【００１８】
本発明の別の特徴によれば、送信手段は第１の複数のコンテンツアイテムの送信を反復するように動作する。コンテンツアイテムの送信を繰り返すことにより、要求されるコンテンツアイテムの全てを受信して保存するタスクは極めて容易になる。詳細には、ユーザ機器が特定時間に受信を行なうという要件を無くすことにより、ユーザ機器の動作及び使用に際して機能を追加することができる。
【００１９】
本発明の別の特徴によれば、コンテンツアイテムシーケンス情報は複数の提示表示を含む。複数の提示表示を送信することにより、高い柔軟性及びユーザに合わせてカスタマイズすることが可能となる。更に、異なる提示表示のみを必要とし、第２の番組に対するコンテンツを送信する必要を無くす、又は低減することができるため、複数の異なるコンテンツ信号の通信に関してリソース要求を大きく減らすことができる。
【００２０】
本発明の別の特徴によれば、複数の提示表示は第１の複数のコンテンツアイテムのコンテンツアイテムの異なる提示シーケンスに相当する。これにより、異なるコンテンツ提示信号を生成する効率的な方法を簡単、かつ容易に実行することができる。
【００２１】
本発明の別の特徴によれば、ユーザ機器は複数の提示表示から第１の提示表示を選択するための提示表示選択手段を含む。これにより、ユーザ機器のユーザに特に適する適切なコンテンツ提示信号を生成することができる。選択手段は、提示表示を所定の選択基準又は保存済み選択基準に従って選択するように動作する自動手段とすることができる。例えば、選択基準は、ユーザ機器に保存されるユーザプロファイルに基づくものとすることができる。
【００２２】
本発明の別の特徴によれば、提示表示選択手段は提示表示選択をユーザから受信するためのユーザ入力手段を含む。これにより、選択手段を実行し易くなり、かつユーザにコンテンツ提示信号をユーザの現在の嗜好（ｐｒｅｆｅｒｅｎｃｅ）に最適化するという選択肢が提供される。
【００２３】
本発明の別の特徴によれば、ユーザ機器は第１の提示表示の選択に関連する嗜好情報をセルラー通信システムのネットワークに送信するための嗜好情報送信手段を含み、かつ、ネットワークは嗜好情報に応答してユーザプロファイルを生成するためのユーザプロファイル生成手段を含む。これにより、ネットワーク、従って放送局はユーザの嗜好を判定することができる。嗜好情報は特に、ユーザ機器において行なわれる選択の識別情報を含む選択情報とすることができる。
【００２４】
本発明の別の特徴によれば、ユーザプロファイルを構築するための手段はユーザ加入者情報に応答してユーザプロファイルを生成するように動作する。これにより、ユーザプロファイルを正確にすることができ、かつセルラー通信システムの加入者情報のような他の既知情報を使用してユーザプロファイルを充実させることができる。ユーザの選択嗜好は、例えば住所、職業、及び年齢のような他の既知の人口統計学的詳細と組み合わせることができる。従って、更に正確なユーザプロファイルを求めることができる。
【００２５】
本発明の別の特徴によれば、ネットワークはユーザプロファイルに応答して提示表示を生成するための提示表示生成手段を含む。これにより、提示表示をユーザの嗜好に高い精度で整合させることができ、かつコンテンツをユーザプロファイルに特に合うように選択し、そして順番に並べることができる。
【００２６】
例えば、ユーザが前に優先的に選んだカテゴリーと同じカテゴリーである歌、若しくは当該年齢グループの人が通常、優先的に選ぶ歌、又はこれらの両方の歌を特に含む提示表示を生成することができる。同様に、特にそのユーザをターゲットとする広告を含む提示表示を提供することができるので、放送局は最大限の広告収入を得ることができる。例えば、異なる広告コンテンツアイテムを有する以外は同じである２つの番組表示を生成することができる。ユーザプロファイルに応じて、最も適切な提示表示を送信して広告とユーザとの一致度を高めることができる。
【００２７】
本発明の別の特徴によれば、セルラー通信システムは複数のユーザ機器に関連するユーザグループ特性を判定するためのユーザグループ特性判定手段を含む。これにより、同様の嗜好を有するユーザを適切に分類することができ、ユーザプロファイルの処理、利用、及び生成が容易になる。更に、これにより、ユーザの人口統計学的詳細、統計学的詳細、及び特性を容易に求めることができる。
【００２８】
本発明の別の特徴によれば、セルラー通信システムはユーザグループ特性に応答して提示表示を生成する提示表示生成手段を含む。これにより、提示表示をユーザグループの嗜好に高い精度で整合させることができ、コンテンツをユーザグループプロファイルに特に合うように選択し、順番に並べることができる。例えば、ユーザグループのユーザが前に優先的に選んだカテゴリーと同じカテゴリーである歌を特に含む提示表示を生成することができる。同様に、特にそのユーザグループをターゲットとする広告を含む提示表示を提供することができるので、放送局は最大限の広告収入を得ることができる。ユーザグループを処理することにより、各ユーザを個々に考慮に入れる場合よりも、処理を簡単にすることができ、処理に必要なリソースを少なくすることができる。
【００２９】
本発明の別の特徴によれば、ユーザグループ特性判定手段は嗜好情報に応答してユーザグループ特性を生成するように動作する。これにより、ユーザグループ特性を生成する適切な方法が提供される。
【００３０】
本発明の別の特徴によれば、第１の複数のユーザコンテンツのサブセットは広告コンテンツアイテムを含む。これにより、個々のユーザ又はユーザグループをターゲットとすることができる広告コンテンツを効率的に、かつ柔軟に放送することができる。
【００３１】
本発明の別の特徴によれば、第１の複数のコンテンツアイテムは、第１のエアインターフェースリンクタイプを通して送信される第１のサブセットのコンテンツアイテムと、第２のエアインターフェースリンクタイプを通して送信される第２のサブセットのコンテンツアイテムとを含む。これにより、各コンテンツアイテムに対して最も適するエアインターフェースリンクタイプを使用することができるため、高い柔軟性が得られる。詳細には、複数のコンテンツアイテムは、提示表示のサブセット（空の場合もある）においてのみ使用されるコンテンツアイテムを含むことができ、コンテンツアイテムのエアインターフェースリンクタイプを、提示表示の一部を含む提示表示の数に従って選択することができる、又はコンテンツアイテムのエアインターフェースリンクタイプは、コンテンツアイテムを含む提示表示が向けられるユーザの数によって変わり得る。従って、これにより、利用可能なエアインターフェースリソースを効率的に使用することができる。
【００３２】
本発明の別の特徴によれば、第１のエアインターフェースリンクタイプはブロードキャストリンクタイプであり、かつ、第２のエアインターフェースリンクタイプはナローキャストリンクタイプである。ナローキャストリンクタイプは、ブロードキャストリンクタイプの場合よりも少ないユーザ機器に、通常、ブロードキャストリンクタイプの場合の少なくとも５分の１よりも少ないユーザ機器に適用される。従って、これにより、大ユーザグループが必要とするコンテンツアイテムにブロードキャストを使用し、小ユーザグループが必要とするコンテンツアイテムにナローキャスト送信を使用することができる。従って、効率的なエアインターフェースリソースの使用が容易になる。
【００３３】
本発明の別の特徴によれば、ナローキャストリンクタイプはユーザ機器専用リンクタイプである。これにより、非常に高い性能が実現し、少ないリソースを使用して特定のユーザ機器にコンテンツアイテムを送信することができる。
【００３４】
本発明の別の特徴によれば、コンテンツアイテムシーケンス情報は、第１のエアインターフェースリンクタイプを通して送信される第１の提示表示セットと、第２のエアインターフェースリンクタイプを通して送信される第２の提示表示セットとを含む。これにより、各提示表示に対して最も適するエアインターフェースリンクタイプを使用することができるため、高い柔軟性が得られる。詳細には、これにより、ローカライズ化した（ｌｏｃａｌｉｓｅｄ）手段又は専用手段によって追加の提示表示を提供することができる。
【００３５】
本発明の別の特徴によれば、第１のエアインターフェースリンクタイプはブロードキャストリンクタイプであり、かつ、第２のエアインターフェースリンクタイプはナローキャストリンクタイプである。ナローキャストリンクタイプは、ブロードキャストリンクタイプの場合よりも少ないユーザ機器に、通常、ブロードキャストリンクタイプの場合の少なくとも５分の１よりも少ないユーザ機器に適用される。従って、これにより、大ユーザグループが必要とするコンテンツアイテムにブロードキャストを使用し、小ユーザグループが必要とするコンテンツアイテムにナローキャストを使用することができる。従って、効率的なエアインターフェースリソースの使用が容易になるか、若しくは目的とする提示表示を提供するための高い柔軟性が実現するか、又はその両方となる。
【００３６】
本発明の別の特徴によれば、ナローキャストリンクタイプはユーザ機器専用リンクタイプである。これにより、非常に高い性能が実現し、少ないリソースを使用して特定のユーザ機器にコンテンツアイテムを送信することができる。
【００３７】
本発明の別の特徴によれば、提示表示は複数のコンテンツアイテムの再生リストを含む。再生リストは特に、コンテンツアイテムを提示すべき連続順を含むことができる。これにより、強固かつ効率的な提示表示を容易に使用することができる。
【００３８】
本発明の別の特徴によれば、セルラー通信システムは、リアルタイム提示信号を受信するための手段を含み、コンテンツアイテム提示手段は第１の提示表示に応答してリアルタイム提示信号又はコンテンツアイテムを提示するように動作する。
【００３９】
これにより、リアルタイム提示信号を個々のユーザ又はユーザグループに合わせてカスタマイズすることができる。従って、これにより、カスタマイズを可能にしながら放送を行なう方法を容易に実行することができる。例えば、番組をリアルタイムで送信することができる。番組は、広告の区間を含むことができるが、広告コンテンツは含まない（又は、デフォルトの広告を含むことができる）。ユーザ機器は、複数のコンテンツアイテムの広告コンテンツアイテムを提示表示に従って挿入することができる。
【００４０】
本発明の第２の態様では、セルラー通信システムの加入者装置を提供する。この加入者装置は、セルラー通信システムのエアインターフェースを通して第１の複数のコンテンツアイテムを受信するためのコンテンツアイテム受信手段と、第１の複数のコンテンツアイテムを保存するためのコンテンツアイテム保存手段と、第１の複数のコンテンツアイテムのサブセットである第２の複数のコンテンツアイテムのうちの少なくとも第１の提示表示を含むコンテンツアイテムシーケンス情報を受信するためのコンテンツアイテムシーケンス情報受信手段と、第１の提示表示に応答して、コンテンツアイテム保存手段から複数のコンテンツアイテムを取り出すためのコンテンツアイテム取出手段と、第１の提示表示に応答して、取り出した複数のコンテンツアイテムを提示するためのコンテンツアイテム提示手段とを備える。
【００４１】
本発明の別の特徴によれば、コンテンツアイテムシーケンス情報は複数の提示表示を含み、かつ、ユーザ機器は複数の提示表示から第１の提示表示を選択するための提示表示選択手段を含む。
【００４２】
本発明の別の特徴によれば、提示表示選択手段は提示表示選択をユーザから受信するためのユーザ入力手段を含む。
本発明の別の特徴によれば、加入者装置は第１の提示表示の選択に関連する嗜好情報をセルラー通信システムのネットワークに送信するための嗜好情報送信手段を含む。
【００４３】
本発明の第３の態様では、セルラー通信システムの動作方法が提供される。この方法は、第１の複数のコンテンツアイテムを１つ以上のユーザ機器に送信する工程と、第１の複数のコンテンツアイテムのサブセットである第２の複数のコンテンツアイテムのうちの少なくとも第１の提示表示を含むコンテンツアイテムシーケンス情報を送信する工程とからなり、同１つ以上のユーザ機器は、第１の複数のコンテンツアイテムを受信する工程と、第１の複数のコンテンツアイテムを保存する工程と、コンテンツアイテムシーケンス情報を受信する工程と、第１の提示表示に応答して、保存するための手段から複数のコンテンツアイテムを取り出す工程と、第１の提示表示に応答して、複数のコンテンツアイテムを提示する工程とを実行する。
【発明を実施するための最良の形態】
【００４４】
以下の記述では、ＵＭＴＳセルラー通信システムに適用可能な本発明の一実施形態に焦点を当てる。しかしながら、本発明はこの適用形態に限定されず、例えば汎用パケット無線サービス（Ｇｅｎｅｒａｌ  Ｐａｃｋｅｔ  Ｒａｄｉｏ  Ｓｅｒｖｉｃｅ：ＧＰＲＳ）システムのような他の第３世代又は第２世代のセルラー通信システムを含む他の多くの通信システムに適用することができることを理解されたい。
【００４５】
従来のセルラー通信システムでは、地理上の地域は多くのセルに分割され、これらのセルの各々には基地局からサービスが提供される。基地局は、複数の基地局の間でのデータの通信を可能にする固定ネットワークにより相互に接続される。移動局には、無線通信リンクを通して、移動局が位置するセルの基地局からサービスが提供される。
【００４６】
通常のセルラー通信システムは通信領域を通常、国全体に拡張し、かつ数百又は数千ものセルを含んで数千又は数百万もの移動局をサポートする。移動局から基地局に向かう通信は、上りリンクとして知られ、かつ基地局から移動局に向かう通信は、下りリンクとして知られる。
【００４７】
複数の基地局を相互に接続する固定ネットワークは、データをいずれの２つの基地局の間でもルーティングするように動作するので、或るセルの移動局は他のいずれのセルの移動局とも通信することができる。更に、固定ネットワークは、公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）のような外部ネットワークとの相互接続を行なうゲートウェイ機能を備えるので、移動局は地上回線電話及び地上回線により接続される他の通信端末と通信することができる。更に、固定ネットワークは、従来のセルラー通信ネットワークを管理するために必要な、データルーティング、アドミッション制御、リソース割り当て、加入者課金、移動局認証などの機能の多くを備える。
【００４８】
現在、第３世代システムが展開されていて、移動体ユーザに提供される通信サービスを更に強化する。最も広く採用されている第３世代通信システムは、符号分割多重接続方式（Ｃｏｄｅ  Ｄｉｖｉｓｉｏｎ  Ｍｕｌｔｉｐｌｅ  Ａｃｃｅｓｓ：ＣＤＭＡ）を基本としており、同じ搬送周波数を利用する異なるユーザに対し異なる拡散符号及びスクランブル符号を割り当てることにより、ユーザの区別が行なわれる。割り当て符号を用いて多重化し、信号を広い帯域に拡散させることにより、伝送を拡散させる。受信機では、符号を使用して受信信号を逆拡散して元の信号を再生成する。各基地局はパイロット信号及び放送信号用の専用の符号を有し、ＧＳＭの場合は、この符号を複数のセルの測定に使用してサービス中のセルを判定する。この原理を使用する通信システムの一例が、現在展開されているユニバーサル移動体通信システム（ＵＭＴＳ）である。ＣＤＭＡ、特にＵＭＴＳの広帯域ＣＤＭＡ（ＷＣＤＭＡ）モードに関する更なる説明については、ハリ・ホルマ（Ｈａｒｒｉ  Ｈｏｌｍａ）（編者）、アンティ・トスカラ（Ａｎｔｔｉ  Ｔｏｓｋａｌａ）（編者）による「ＵＭＴＳのＷＣＤＭＡ」、Ｗｉｌｅｙ＆Ｓｏｎｓ、２００１年、ＩＳＢＮ  ０４７１４８６８７６に見られる。
【００４９】
ＵＭＴＳ  ＣＤＭＡ通信システムでは、通信ネットワークはコアネットワーク（Ｃｏｒｅ  Ｎｅｔｗｏｒｋ：ＣＮ）及び無線接続ネットワーク（Ｒａｄｉｏ  Ａｃｃｅｓｓ  Ｎｅｔｗｏｒｋ：ＲＡＮ）を含む。コアネットワークは、データをＲＡＮの１つの部分から別の部分にルーティングするだけでなく、他の通信システムとのインターフェースを行なうように動作する。更に、コアネットワークは、課金などセルラー通信システムの動作機能及び管理機能の多くを実行する。ＲＡＮはエアインターフェースの一部である無線リンクを通して無線ユーザ機器をサポートするように動作する。ＲＡＮは基地局や無線ネットワークコントローラ（Ｒａｄｉｏ  Ｎｅｔｗｏｒｋ  Ｃｏｎｔｒｏｌｌｅｒ：ＲＮＣ）を備える。基地局はＵＭＴＳにおいてはノードＢとして知られる。無線ネットワークコントローラは、ノードＢ及びエアインターフェースを通した通信を制御する。
【００５０】
ＲＮＣは、無線リソース管理、適切なノードＢへのデータのルーティング及び適切なノードＢからのデータのルーティングを含む、エアインターフェースに関連する制御機能の多くを実行する。ＲＮＣは更に、ＲＡＮとＣＮとの間のインターフェースとなる。ＲＮＣ及び関連するノードＢは無線ネットワークシステム（Ｒａｄｉｏ  Ｎｅｔｗｏｒｋ  Ｓｙｓｔｅｍ：ＲＮＳ）として知られる。
【００５１】
図１には、本発明の一実施形態によるセルラー通信システムの要素を示す。説明を簡単かつ明瞭にするために、実施形態に関する説明に必要な要素のみを示す。図１のセルラー通信システムは基地局１０１を含み、この基地局はデータを多様なユーザ機器に送信するように動作する。詳細には、基地局１０１はデータをセルの通信領域の全てのユーザ機器に放送するように動作する。
【００５２】
セルラー通信システムは更に、コンテンツアイテムプロセッサ（ｃｏｎｔｅｎｔ  ｉｔｅｍ  ｐｒｏｃｅｓｓｏｒ）１０３を含み、このプロセッサは、ユーザ機器に放送されることになるコンテンツアイテムを受信する、又は生成するように動作する。好適には、コンテンツアイテムは、例えばミュージッククリップ（ミュージックトラック）、広告、及びスピーチクリップのような異なるタイプのオーディオアイテムを含む、異なるコンテンツを含む。好適な実施形態では、コンテンツアイテムプロセッサ１０３は、セルラー通信システムの外部の放送ソースとすることができる外部ソースからコンテンツアイテムを受信する。他の実施形態では、コンテンツアイテムプロセッサ１０３が他のソースからコンテンツアイテムを受信してもよく、コンテンツアイテムプロセッサ１０３においてコンテンツアイテムが生成されてもよい。例えば、コンテンツアイテムは、受信した連続的なコンテンツ信号をセグメント化することにより生成することができる。
【００５３】
コンテンツアイテムプロセッサ１０３は、コンテンツアイテムをユーザ機器に放送することができるように、基地局１０１に接続されている。記載の実施形態では、コンテンツアイテムは個々のコンテンツアイテムとして放送され、これらの個々のコンテンツアイテムは受信側のユーザ機器が個別に処理し、そして保存することができる。
【００５４】
セルラー通信システムはシーケンスプロセッサ１０５も含む。シーケンスプロセッサ１０５は、コンテンツアイテムプロセッサ１０３が生成するコンテンツアイテムに関するコンテンツアイテムシーケンス情報を受信する、又は生成する。生成されるシーケンス情報は１つ以上の提示表示（ｐｒｅｓｅｎｔａｔｉｏｎ  ｉｎｄｉｃａｔｉｏｎ）を含み、これらの提示表示は、ユーザ機器においてコンテンツアイテムを提示するタイミングのガイドラインを含む。タイミング情報は、特定のコンテンツアイテムを提示する必要のある特定時間の表示のような絶対的なものであってよい。しかしながら、好適には、タイミング情報は相対表示であり、特に各提示表示はシーケンス即ち出現順を含み、このシーケンス即ち出現順に従って、コンテンツアイテムのうちの一部又は全部を提示する必要がある。従って、好適には、各提示表示は、基地局が放送するコンテンツアイテムのうちの一部（又は全部）を参照する再生リストを含む。
【００５５】
好適な実施形態では、シーケンスプロセッサ１０５は、セルラー通信システム外部のソースとすることができる外部ソースから、提示表示を受信する。他の実施形態では、シーケンスプロセッサ１０５が他のソースから提示表示を受信してもよく、シーケンスプロセッサ１０５において提示表示が生成されてもよい。特に、コンテンツアイテム及び提示表示のソースは同じソースであってよく、詳細には、外部放送ソースであってよい。
【００５６】
シーケンスプロセッサ１０５は、提示表示をユーザ機器に放送することができるように、基地局１０１に接続されている。記載の実施形態では、提示表示が個々の提示表示として放送され、これらの個々の提示表示は受信側のユーザ機器が個別に処理し、そして保存することができる。他の実施形態では、複数の提示表示を一括してグループ化し、そして１つのブロックで放送することができる。
【００５７】
従って、記載の実施形態では、コンテンツアイテムプロセッサ１０３、シーケンスプロセッサ１０５及び基地局１０１が一緒に動作して、複数のコンテンツアイテムと、少なくとも第１の提示表示を含むコンテンツアイテムシーケンス情報とを放送する。放送データはセルのユーザ機器が受信することができる。図１には、１つのこのようなユーザ機器１０７を示す。
【００５８】
ユーザ機器１０７は受信機１０９を備える。受信機１０９は放送無線信号を受信し、複数のコンテンツアイテム及びシーケンス情報を放送無線信号から生成するように動作する。ここで、好適な実施形態では、受信機はセルラー通信システムの規格に従って放送信号を受信するために必要な機能を備えることを理解されたい。
【００５９】
受信機１０９は、受信済みコンテンツアイテムを保存するコンテンツアイテムストア１１１に接続されている。更に、受信機１０９は提示コントローラ１１３に接続されており、この提示コントローラ１１３は１つ以上の提示表示を受信機１０９から受信する。コンテンツアイテムストア１１１及び提示コントローラ１１３は、コンテンツをユーザに提示するように動作する提示装置１１５に接続される。提示装置１１５は、所望の提示信号を生成するのに適する任意の手段であってもよい。例えば、コンテンツがオーディオコンテンツである場合、提示装置１１５は、増幅器、及びオーディオ信号を生成することが可能な拡声器を含むことができる。コンテンツがビジュアルコンテンツである場合、提示装置１１５は、ディスプレイ、及びディスプレイを制御するための手段を含むことができる。
【００６０】
動作状態では、提示コントローラ１１３はコンテンツアイテムストア１１１及び提示装置１１５を、複数の受信済み提示表示のうちの１つの提示表示に応答して制御する。詳細には、提示表示は、コンテンツアイテムのシーケンスの再生リストを含むことができる。本実施形態では、提示コントローラ１１３はコンテンツアイテムの識別情報を提示表示から抽出し、該当するコンテンツアイテムをコンテンツストアから取り出し、そしてそのコンテンツアイテムを提示装置１１５に転送するように動作する。現在のコンテンツアイテムが終了すると、提示コントローラ１１３は、提示表示において識別される次のコンテンツアイテムをコンテンツストア１１１から抽出し、そしてこのアイテムを提示装置１１５に転送する。
【００６１】
従って、連続的な提示信号は提示表示に応答して生成される。提示信号は、提示表示の複数のコンテンツアイテムを、この提示表示に設定された順番で含むことになる。従って、連続的なリアルタイムの提示信号は、保存済みコンテンツアイテムから生成することができる。提示表示では、受信済み、かつ保存済みのコンテンツアイテムのうちの一部のコンテンツアイテムのみを使用してもよく、１回よりも多くの回数に渡って幾つかのコンテンツアイテムを使用してもよい。
【００６２】
例えば、オーディオ番組は、多くの広告が折り込まれた多くのミュージックトラックから成るシーケンスを含む提示表示によって生成することができる。流行曲を含むミュージックトラック及び広告は、単に複数の参照を提示表示に組み込むことにより、所望の頻度で反復することができる。コンテンツアイテムの放送を更に行なう必要がないので、エアインターフェースリソースの使用が最小になるため、非常に効率的な放送システムが実現する。
【００６３】
更に、コンテンツアイテムは提示信号に必要となるときにコンテンツアイテムストア１１１から取り出されるので、コンテンツアイテムの放送に関する要件は、提示信号の特性及び要件に直接関係するということがない。従って、遅延特性のようなサービス品質パラメータの変化に対して抵抗感が増すといった問題は大きく緩和される。更に、コンテンツアイテムの放送タイミングが提示信号のコンテンツアイテムの提示時間と一致する必要はないので、通信システムは、コンテンツアイテム放送の時間を調整して、例えば予備の容量を利用可能なときに使用することができるようにする。
【００６４】
オーディオ番組の放送を目的とする本発明の好適な一実施形態について、以下に更に詳細に記載する。図２には、本発明の好適な実施形態によるセルラー通信システムを示す。
好適な実施形態では、コンテンツアイテム及び提示表示は外部放送局２０１から受信される。外部放送局２０１は、例えば広告収入を財源とするラジオ番組を提供する商用ラジオ局である。外部放送局２０１は複数のコンテンツアイテム２０３を生成する。これらのコンテンツアイテム２０３は個々のミュージックトラック、広告、及び紹介スピーチクリップを含む。好適な実施形態では、コンテンツアイテム２０３は、例えばＭＰ３の音楽圧縮方式のような適切な圧縮方式を使用して圧縮される。
【００６５】
外部放送局２０１は更に、複数の提示表示を生成する。各提示表示２０５はコンテンツアイテム参照を含み、この参照によって、受信機はオーディオ番組を、参照先のコンテンツアイテムを再生することにより生成することができる。好適な実施形態では、各コンテンツアイテムは特定の識別番号により識別され、そして提示表示２０５は単に、コンテンツアイテムが再生されることになる順番を示すコンテンツアイテム２０３のシーケンスを含む。例えば、３桁のコンテンツアイテム番号を使用して、提示表示の例を以下に簡単に示す。
【００６６】
提示表示１：
アイテム  ２３１；
アイテム  ３４３；
アイテム  ８７２；
アイテム  ２３３；
アイテム  ３４３；
アイテム  ３４９；
．．．
これに代えて又はこれに加えて、提示表示は、コンテンツアイテムが提示される正確な時間を示す絶対時間情報を含んでよい。例えば、一例の提示表示は以下次のように表わすことができる。
【００６７】
提示表示１：
アイテム  ２３１；時間  開始／終了
アイテム  ３４３；時間  開始／終了
アイテム  ８７２；時間  開始／終了
アイテム  ２３３；時間  開始／終了
．．．
従って、好適な実施形態では、提示表示は、コンテンツアイテムの異なる提示シーケンスに対応する。好適な実施形態の各提示表示は特定のオーディオ番組に対応する。従って、外部放送局２０１は、好適に重複するグループのコンテンツアイテムを使用して、異なるオーディオ番組を作成する。
【００６８】
外部放送局２０１はネットワーク２０７に接続されており、このネットワーク２０７にはセルラー通信システム２０９も接続されている。これに加えて又はこれに代えて、ネットワーク２０７及び外部放送局２０１のうちの少なくとも一方は、セルラー通信システム２０９の一部と考えることができる。好適な実施形態では、ネットワーク２０７はインターネットである。
【００６９】
従って、ネットワーク２０７はコンテンツアイテム２０３及び提示表示２０５をセルラー通信システム２０９のゲートウェイネットワーク要素２１１を通信させるように動作する。詳細には、図２のゲートウェイネットワーク要素２１１はコアネットワークの一部であり、かつＧＰＲＳサービスノード（ＧＰＲＳ  Ｓｅｒｖｉｃｅ  Ｎｏｄｅｓ：ＧＳＮｓ）２１３に接続されている。これらのＧＳＮ２１３はＲＡＮ、詳細には、多くの基地局２１５にＲＮＣ（図示せず）を通して接続されている。従って、コンテンツアイテム２０３及び提示表示２０５は外部放送局２０１からネットワーク２０７、ゲートウェイネットワーク要素２１１、ＧＳＮ２１３を通して基地局２１５に送信される。コンテンツアイテム２０３及び提示表示２０５は、基地局２１５により複数のユーザ機器２１７に放送される。放送は全てのセル、複数セルのサブセット、又は複数セルから成る複数セクターのサブセットにおいて行なわれてよい。
【００７０】
好適な実施形態では、基地局２１５は別個に、コンテンツアイテム２０３及び提示表示２０５を保存し、コンテンツアイテム及び提示表示の放送を都合の良い時間に遅らせるように動作する。詳細には、基地局は、未使用の容量が存在するか否かについて判定し、未使用の容量が存在する場合に、コンテンツアイテム２０３及び提示表示２０５を放送するように動作する。
【００７１】
簡単な一実施形態では、基地局２１５は単に、現在の合計リソース消費量を判定し、この消費量が所定の閾値を下回る場合、コンテンツアイテム２０３及び提示表示２０５が放送される。合計リソース消費量が所定の閾値を上回る場合、合計リソース消費量が閾値を下回るまで放送は延期される。
【００７２】
更に、好適な実施形態では、コンテンツアイテム２０３の送信が反復される。また、これに代えて又はこれに加えて、提示表示２０５の送信が反復される。好適には、反復頻度は利用可能な容量を考慮に入れて動的に変更される。簡単な一実施形態では、コンテンツアイテム２０３は単にリソースが利用可能なときに放送され、全てのコンテンツアイテム２０３が放送されたとき、基地局はコンテンツアイテムのリストの先頭の送信を開始する。従って、時間が経つと、ユーザ機器２１７がミュージックトラック及び宣伝のライブラリを構築し、各番組に対して全てをダウンロードする必要なしに提示表示に応答することが可能となる。
【００７３】
好適な実施形態では、システムは下りリンクの予備の帯域を使用してコンテンツアイテム２０３及び提示表示２０５の両方をユーザ機器に転送する。好適な実施形態では、この操作は更に、パケットデータを使用することにより行なうことができる。これにより、効率的かつ柔軟性の高い通信が可能になり、予備の容量を効率的に使用することができる。詳細には、通信はＧＰＲＳ（Ｇｅｎｅｒａｌ  Ｐａｃｋｅｔ  Ｒａｄｉｏ  Ｓｅｒｖｉｃｅｓ：汎用パケット無線サービス）技術を使用することにより行なわれる。
【００７４】
ユーザ機器２１７は放送情報を受信し、そしてこの放送情報を処理して提示信号を生成する。図２の好適な実施形態のユーザ機器２１７は、図１のユーザ機器を参照して記載したものと同様の機能モジュールを含む。詳細には、ユーザ機器はコンテンツアイテムを、この放送情報が送信されるにつれて及び送信されるときに並びにユーザ機器が他の非互換性のタスクを実行していないときに受信する。詳細には、アイドルモードの間、ユーザ機器２１７は継続して放送コンテンツアイテム２０３及び提示表示２０５をモニターすることができる。ユーザ機器２１７は、コンテンツアイテムが送信されていることを検出すると、そのコンテンツアイテムがユーザ機器のコンテンツアイテムストアに既に保存されているか否かを判定する。コンテンツアイテムが既に保存されてはいない、又はコンテンツアイテムが保存済みコンテンツアイテムの更新版に相当する場合、ユーザ機器２１７は処理を進めてコンテンツアイテムを受信し、そして保存する。従って、ある時間が経過した後、ユーザ機器２１７は、提示表示２０５により参照されるコンテンツアイテムのほとんど、又は全てを含むコンテンツアイテムストアを構築する。
【００７５】
更に、ユーザ機器２１７は提示表示２０５の放送をモニターする。ユーザ機器２１７は更に、提示表示２０５に応答して提示信号を生成するように動作する。好適な実施形態では、ユーザ機器２１７は選択プロセッサを備え、この選択プロセッサは複数の提示表示２０５から第１提示表示を選択する。従って、好適な実施形態では、第１提示表示は所望の番組に相当する。
【００７６】
好適な実施形態では、提示表示２０５は、提示表示の番組に関連する追加情報を含む。例えば、提示表示の主要なジャンル、タイプ、及びターゲットグループを識別する情報を含むことができる。例えば、１つの提示表示は、１８〜２５歳の年齢グループを対象とした番組を識別する情報を含んでおり、現在のチャートミュージックを優先的に含む。別の番組は、２５〜３５歳の年齢グループを対象とした番組を識別する情報を含んでおり、ポピュラーミュージック及び現在の出来事に関連する議論を主に含む。選択プロセッサは、選択基準及び提供情報に従って番組を自動的に選択する機能を備えることができる。例えば、選択プロセッサは、ユーザの年齢に関する情報を含むことができ、この情報に相当する提示表示を自動的に選択することができる。
【００７７】
好適な実施形態では、これに加えて又はこれに代えて、ユーザ機器２１７は提示表示２０５に関連する情報をユーザに対し表示するための手段を備える。従って、ユーザには、提示することができる番組の特性のリストが提供される。ユーザ機器２１７は、所望番組の選択をユーザから受信するユーザ入力を備える。これに応答して、ユーザ機器は相当する提示表示２０５を選択し、そして処理を進めて提示信号を生成する。
【００７８】
特定の一例として、選択される提示表示２０５が上に示した提示表示１に相当する場合、ユーザ機器２１７は処理を進めて、アイテム２３１が現在、コンテンツアイテムストアに保存されているか否かについて判定する。保存されている場合、ユーザ機器はコンテンツアイテムを取り出し、そして処理を進めてそのコンテンツアイテムを提示する。例えば、コンテンツアイテム２３１は番組を紹介する話し手に相当することができる。コンテンツアイテム２３１が提示された後、ユーザ機器２１７は処理を進めて、アイテム３４３が現在、コンテンツアイテムストアに保存されているか否かについて判定し、そして保存されている場合には、コンテンツアイテムを取り出し、提示する。例えば、アイテム３４３は、ユーザに対して再生される第１ミュージックトラックである。次にユーザ機器２１７は処理を進めて、提示表示において参照されるコンテンツアイテムを、提示表示において設定されている順番で提示する。好適には、コンテンツアイテムは、語り、ミュージックトラック、及び広告の組み合わせであり、従来のラジオ番組と同様の番組が得られる。
【００７９】
参照されるコンテンツアイテムがコンテンツストアに含まれていない場合、ユーザ機器２１７は、例えば直接的に他を飛ばして次のコンテンツアイテムに進んでもよく、標準メッセージを提示してコンテンツアイテムが無いことを通知してから、他を飛ばして次のコンテンツアイテムに進んでもよく、或いは、それに代わるコンテンツアイテムを再生してもよい。
【００８０】
好適な実施形態のユーザ機器は更に、第１表示提示の選択に関連する嗜好情報を基地局に返信するための手段を備える。嗜好情報は、どの提示表示がユーザによって選択されているかについての情報を直接的に含むことができる。これに加えて又はこれに代えて、ユーザ機器は、提示表示の選択に応答したユーザ嗜好表示だけでなく、自動検出又は手動設定される他のパラメータを生成することができる。
【００８１】
従って、セルラー通信システム２０９のネットワークは個々のユーザの嗜好に関する情報を受信する。好適な実施形態では、嗜好情報は大ユーザグループから受信される。嗜好情報は嗜好プロセッサ２１９に対し通信される。
【００８２】
嗜好プロセッサ２１９は、嗜好情報に応答してユーザプロファイルを生成するように動作する。好適な実施形態では、嗜好プロセッサ２１９は各個々のユーザに関するユーザプロファイルを生成し、更に異なるユーザグループに関するユーザグループ特性を生成するように動作する。
【００８３】
従って、嗜好プロセッサ２１９によって個々のユーザの嗜好及び特性を判定し、保存することができる。例えば、嗜好プロセッサ２１９は単純に、ユーザが選択する提示表示の特性を使用して所望のジャンル、スタイル、年齢グループ、又はユーザが好む番組タイプを判定することができる。例えば、ユーザは、或るユーザは、語りの無い、又は語りがほとんど無いチャートミュージックを含む番組を好み、別のユーザは適度に語りをまじえたポピュラーミュージックを好み、更に別のユーザは語りのみの番組を好むと判定することができる。
【００８４】
嗜好プロセッサ２１９はまた、複数のユーザ機器２１７に関連する特性を判定することができる。一実施形態では、嗜好プロセッサ２１９は、全ユーザコミュニティの特性を生成することができる。例えば、各提示表示を選択するユーザの数を判定することができるので、放送局はユーザ嗜好に関する情報について継続的に更新することができる。例えば、ユーザ機器が１つの提示表示を選択すると必ず、ユーザコミュニティのプロファイルを更新することができる。これにより、ネットワークオペレータは全ユーザグループの正確なプロファイルを構築することができる。
【００８５】
詳細には、これによって嗜好プロセッサ２１９は、例えば個々の番組表示に関して、又は個々のコンテンツアイテムに関してまでも、正確な視聴者の特性を判定し、そして測定することができる。これにより放送局は個々の番組に関して、又は個々のクリップに関してまでも、正確な現在のランク付けを行なうことができる。この情報を使用して現在の番組及びコンテンツを修正し、潜在的な視聴者に対する番組及びコンテンツの利便性を強く訴えることができ、放送局が再度使用して、広告収入を増やすことができる。
【００８６】
好適な実施形態では、嗜好プロセッサ２１９は更に、追加情報に応答してユーザプロファイル及びユーザグループ特性のうちの少なくとも一方を生成する。詳細には、セルラー通信システムにより維持される加入者情報を組み込み、ユーザプロファイル及びユーザグループ特性を生成する。例えば、嗜好プロセッサ２１９は、ユーザアドレス、ユーザ年齢などに関する情報を含むことができる。
【００８７】
好適な実施形態では、ユーザプロファイル又はグループ特性に応答して１つ以上の提示表示が生成される。詳細には、提示表示は、既存の提示表示を修正して特定のユーザ又はユーザグループの嗜好に更に正確に相当させることにより生成することができる。これにより、番組を個々のユーザの嗜好及び特性に非常に正確に合致させることができる。
【００８８】
例えば、広告を選択して特に或るユーザに対し適応させることができる。別の例として、例えば、楽しまれる可能性が高いミュージックトラックをユーザプロファイルに応答して選択することにより、特に所定のユーザに対し適応させるように、提示表示に相当する番組を選択することができる。
【００８９】
更に、ユーザグループに向けて放送される総合提示表示を生成して（例えば、既存の提示表示を修正することにより）、複数ユーザの総合的な嗜好を最適化することにより、更に大きなユーザグループを惹き付けることができる。従って、この実施形態により、受け入れ率を高くすること、適応性を高くすること、及び特定層をターゲットとすることのうちの１つ以上ができるように最適化する柔軟性の高い提示信号を通信することができる。この実施形態によって、例えば多くのユーザを取り込み、広告収入を増やすことができる。
【００９０】
好適な実施形態では、コンテンツアイテム及び提示表示は全て、同じ放送手段により送信される。しかしながら、一部の実施形態では、異なるコンテンツアイテム及び異なる提示表示のうちの１つ以上をユーザ機器に送信するために、異なるエアインターフェースリンクタイプを使用することができる。詳細には、コンテンツアイテムが通信される必要のあるユーザ機器の数に応じて、コンテンツアイテムをユーザ機器に送信することができる。
【００９１】
そのような一実施形態では、ブロードキャストチャネルを使用して、所定数よりも多くの数のユーザ機器に向けられるコンテンツアイテム及び提示表示が送信される。しかしながら、通常、セルラー通信システムにおいてブロードキャストチャネルで利用可能な容量は限定されているので、それらのチャネルを使用して、数人のユーザ又はわずか一人のユーザにしか向けられないコンテンツアイテム又は提示表示を送信することは非効率的である。従って、所定数よりも少ない数のユーザに向けられるコンテンツアイテム及び提示表示は、ブロードキャストチャネルを使用するのではなく、ナローキャスト（ｎａｒｒｏｗｃａｓｔ）リンクタイプにより送信される。ナローキャストリンクタイプは、１つのグループのユーザの間で共有されるチャネルとすることができるが、好適な実施形態では、例えば５台よりも少ないユーザ機器に向けられるコンテンツアイテム及び提示表示のうちの１つ以上は専用リンクタイプを使用して各ユーザ機器に個々に送信される。専用リンクタイプは、例えばサーキット交換リンク又は専用パケットチャネルである。
【００９２】
従ってこのアプローチによって、直接的に個人をターゲットとする特定の広告を放送番組に組み込むことができるとともに、エアインターフェースリソースを確実に効率的に利用することができる。
【００９３】
一部の実施形態では、セルラー通信システムは更に、ユーザ機器との時間同期を実現する。この時間同期情報を使用して番組表示のコンテンツアイテムを確実に同期させることができる。例えば、セルラー通信システムは継続的にリアルタイム再生時間表示を放送することができ、そして番組表示に関する情報によって、個々のコンテンツアイテムの再生時間をこのリアルタイム再生時間表示に関連付けることができる。
【００９４】
一部の実施形態では、提示表示は連続的なリアルタイム提示信号には相当せず、異なる個別の時間区間に相当する。例えば、提示表示は、コンテンツアイテムを所定の時間区間において提示する必要があること、２つのコンテンツアイテムを連続して別の異なる時間区間において提示する必要があること、などを示すことができる。時間表示は、例えば相対時間表示又は絶対時間表示とすることができる。例えば、提示表示は、特定のコンテンツアイテムを特定の絶対時刻に提示する必要があることを示すことができる。別の例として、提示表示は、特定のコンテンツアイテムを、所定のイベントが生じた後の所定期間に提示する必要があることを示すことができる。例えば、イベントは番組の開始とすることができ、そして時間表示は、所定のコンテンツアイテムを番組開始の３０分後に提示する必要があることを示す時間表示とすることができる。
【００９５】
このことが特に有利となり得る一実施形態では、ユーザ機器は更に、リアルタイム提示信号を受信するための手段を備える。リアルタイム提示信号は、セルラー通信システムにより放送される信号であってもよく、或いは、従来のラジオ番組のような、セルラー通信システムに関連しないリアルタイム提示信号であってもよい。この実施形態では、ユーザ機器の提示装置は、コンテンツアイテム及びリアルタイム提示信号の両方を提示するように動作する。特定の実施形態では、提示装置は、提示表示に応答して、リアルタイム提示信号とコンテンツアイテムとの間の選択を自動的に行なう。詳細には、連続的でない提示表示に示される区間においてはコンテンツアイテムが提示され、他の区間においてリアルタイム提示信号が提示される。
【００９６】
これにより、高い柔軟性が実現し、異なる番組を放送する必要なしに、リアルタイム信号を特定のユーザに合わせてカスタマイズすることができる。例えば、リアルタイム提示信号は、異なる広告ブロックが挿入された従来のラジオ番組とすることができる。これらの広告ブロックのタイミングは公知であり、提示表示において広告区間を指定することにより、ラジオ番組の広告を、セルラー通信システムから受信されるコンテンツアイテムに置き換えることができる。これにより特に、放送局はラジオ番組を放送すると同時に、セルラー通信システムを使用してターゲットとする広告を提供することができる。
【図面の簡単な説明】
【００９７】
【図１】本発明の一実施形態によるセルラー通信システムの要素の図。
【図２】本発明の好適な一実施形態によるセルラー通信システムの図。
【図１】
2007504689.tif 000003
【図２】
2007504689.tif 000004
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
第１の複数のコンテンツアイテムを１つ以上のユーザ機器に送信するためのコンテンツアイテム送信手段（１０１）と、
第１の複数のコンテンツアイテムのコンテンツアイテムの異なる提示シーケンスに各々相当する複数の提示表示を含むコンテンツアイテムシーケンス情報を送信するためのコンテンツアイテムシーケンス情報送信手段（１０１）とを備えるセルラー通信システムであって、
同１つ以上のユーザ機器は、
第１の複数のコンテンツアイテムを受信するためのコンテンツアイテム受信手段（１０９）と、
第１の複数のコンテンツアイテムを保存するためのコンテンツアイテム保存手段（１１１）と、
コンテンツアイテムシーケンス情報を受信するためのコンテンツアイテムシーケンス情報受信手段（１０９）と、
第１の複数のコンテンツアイテムのサブセットを形成する第２の複数のコンテンツアイテムに相当する第１の提示表示を複数の提示表示から選択するための提示表示選択手段と、
第１の提示表示に応答して、コンテンツアイテム保存手段から第２の複数のコンテンツアイテムを取り出すためのコンテンツアイテム取出手段（１１３）と、
第１の提示表示に応答して、第２の複数のコンテンツアイテムを提示するためのコンテンツアイテム提示手段（１１３），（１１５）とを含むセルラー通信システム。
【請求項２】
送信手段は利用可能な未使用の容量が存在するときに複数のコンテンツアイテムを送信するように動作する請求項１に記載のセルラー通信システム。
【請求項３】
送信手段は第１の複数のコンテンツアイテムの送信を反復するように動作する請求項１又は２に記載のセルラー通信システム。
【請求項４】
提示表示選択手段は提示表示選択をユーザから受信するためのユーザ入力手段を含む請求項１に記載のセルラー通信システム。
【請求項５】
ユーザ機器は第１の提示表示の選択に関連する嗜好情報をセルラー通信システムのネットワークに送信するための嗜好情報送信手段を含み、かつ、ネットワークは嗜好情報に応答してユーザプロファイルを生成するためのユーザプロファイル生成手段を含む請求項１に記載のセルラー通信システム。
【請求項６】
ユーザプロファイルを構築するための手段はユーザ加入者情報に応答してユーザプロファイルを生成するように動作する請求項５に記載のセルラー通信システム。
【請求項７】
ネットワークはユーザプロファイルに応答して提示表示を生成するための提示表示生成手段を含む請求項５又は６に記載のセルラー通信システム。
【請求項８】
複数のユーザ機器に関連するユーザグループ特性を判定するためのユーザグループ特性判定手段を含む請求項１乃至７のいずれか一項に記載のセルラー通信システム。
【請求項９】
ユーザグループ特性に応答して提示表示を生成する提示表示生成手段を含む請求項８に記載のセルラー通信システム。
【請求項１０】
ユーザグループ特性判定手段は嗜好情報に応答してユーザグループ特性を生成するように動作する、請求項５乃至７のいずれか一項に従属する請求項８又は９に記載のセルラー通信システム。
【請求項１１】
第１の複数のユーザコンテンツのサブセットは広告コンテンツアイテムを含む請求項１乃至１０のいずれか一項に記載のセルラー通信システム。
【請求項１２】
第１の複数のコンテンツアイテムは第１のエアインターフェースリンクタイプを通して送信される第１のサブセットのコンテンツアイテム及び第２のエアインターフェースリンクタイプを通して送信される第２のサブセットのコンテンツアイテムを含む請求項１乃至１１のいずれか一項に記載のセルラー通信システム。
【請求項１３】
第１のエアインターフェースリンクタイプはブロードキャストリンクタイプであり、かつ、第２のエアインターフェースリンクタイプはナローキャストリンクタイプである請求項１２に記載のセルラー通信システム。
【請求項１４】
ナローキャストリンクタイプはユーザ機器専用リンクタイプである請求項１３に記載のセルラー通信システム。
【請求項１５】
コンテンツアイテムシーケンス情報は第１のエアインターフェースリンクタイプを通して送信される第１の提示表示セット及び第２のエアインターフェースリンクタイプを通して送信される第２の提示表示セットを含む請求項１乃至１４のいずれか一項に記載のセルラー通信システム。
【請求項１６】
第１のエアインターフェースリンクタイプはブロードキャストリンクタイプであり、かつ、第２のエアインターフェースリンクタイプはナローキャストリンクタイプである請求項１５に記載のセルラー通信システム。
【請求項１７】
ナローキャストリンクタイプはユーザ機器専用リンクタイプである請求項１６に記載のセルラー通信システム。
【請求項１８】
提示表示は複数のコンテンツアイテムの再生リストを含む請求項１乃至１７のいずれか
一項に記載のセルラー通信システム。
【請求項１９】
リアルタイム提示信号を受信するための手段を含み、
コンテンツアイテム提示手段は第１の提示表示に応答してリアルタイム提示信号又はコンテンツアイテムを提示するように動作する請求項１乃至１８のいずれか一項に記載のセルラー通信システム。
【請求項２０】
セルラー通信システムの加入者装置であって、
セルラー通信システムのエアインターフェースを通して第１の複数のコンテンツアイテムを受信するためのコンテンツアイテム受信手段（１０９）と、
第１の複数のコンテンツアイテムを保存するためのコンテンツアイテム保存手段（１１１）と、
第１の複数のコンテンツアイテムのコンテンツアイテムの異なる提示シーケンスに各々相当する複数の提示表示を含むコンテンツアイテムシーケンス情報を受信するためのコンテンツアイテムシーケンス情報受信手段（１０９）と、
第１の複数のコンテンツアイテムのサブセットを形成する第２の複数のコンテンツアイテムに相当する第１の提示表示を複数の提示表示から選択するための提示表示選択手段と、
第１の提示表示に応答して、コンテンツアイテム保存手段から第２の複数のコンテンツアイテムを取り出すためのコンテンツアイテム取出手段（１１３）と、
第１の提示表示に応答して、取り出した複数のコンテンツアイテムを提示するためのコンテンツアイテム提示手段（１１３），（１１５）とを備える加入者装置。
【請求項２１】
提示表示選択手段は提示表示選択をユーザから受信するためのユーザ入力手段を含む請求項２０に記載の加入者装置。
【請求項２２】
第１の提示表示の選択に関連する嗜好情報をセルラー通信システムのネットワークに送信するための嗜好情報送信手段を含む請求項２０又は２１に記載の加入者装置。
【請求項２３】
第１の複数のコンテンツアイテムを１つ以上のユーザ機器に送信する工程と、
第１の複数のコンテンツアイテムのコンテンツアイテムの異なる提示シーケンスに各々相当する複数の提示表示を含むコンテンツアイテムシーケンス情報を送信する工程とからなるセルラー通信システムの動作方法であって、
同１つ以上のユーザ機器は、
第１の複数のコンテンツアイテムを受信する工程と、
第１の複数のコンテンツアイテムを保存する工程と、
コンテンツアイテムシーケンス情報を受信する工程と、
第１の複数のコンテンツアイテムのサブセットを形成する第２の複数のコンテンツアイテムに相当する第１の提示表示を複数の提示表示から選択する工程と、
第１の提示表示に応答して、保存するための手段から第２の複数のコンテンツアイテムを取り出す工程と、
第１の提示表示に応答して、第２の複数のコンテンツアイテムを提示する工程とを実行する方法。
【手続補正２】
【補正対象書類名】明細書
【補正対象項目名】００１１
【補正方法】変更
【補正の内容】
【００１１】
従って、本発明は上に述べた不具合の一つ以上を単独の方法、又は幾つかを組み合わせ
た方法により、好適に軽減する、低減する、又は無くすように試みる。
本発明の第１の態様では、セルラー通信システムを提供する。このセルラー通信システムは、第１の複数のコンテンツアイテムを１つ以上のユーザ機器に送信するためのコンテンツアイテム送信手段と、第１の複数のコンテンツアイテムのコンテンツアイテムの異なる提示シーケンスに各々相当する複数の提示表示を含むコンテンツアイテムシーケンス情報を送信するためのコンテンツアイテムシーケンス情報送信手段とを備えるセルラー通信システムであって、１つ以上のユーザ機器は、第１の複数のコンテンツアイテムを受信するためのコンテンツアイテム受信手段と、第１の複数のコンテンツアイテムを保存するためのコンテンツアイテム保存手段と、コンテンツアイテムシーケンス情報を受信するためのコンテンツアイテムシーケンス情報受信手段と、第１の複数のコンテンツアイテムのサブセットを形成する第２の複数のコンテンツアイテムに相当する第１の提示表示を複数の提示表示から選択するための提示表示選択手段と、第１の提示表示に応答して、コンテンツアイテム保存手段から第２の複数のコンテンツアイテムを取り出すためのコンテンツアイテム取出手段と、第１の提示表示に応答して、第２の複数のコンテンツアイテムを提示するためのコンテンツアイテム提示手段とを含む。
【手続補正３】
【補正対象書類名】明細書
【補正対象項目名】００１９
【補正方法】変更
【補正の内容】
【００１９】
複数の提示表示を送信することにより、高い柔軟性及びユーザに合わせてカスタマイズすることが可能となる。更に、異なる提示表示のみを必要とし、第２の番組に対するコンテンツを送信する必要を無くす、又は低減することができるため、複数の異なるコンテンツ信号の通信に関してリソース要求を大きく減らすことができる。
【手続補正４】
【補正対象書類名】明細書
【補正対象項目名】００２０
【補正方法】変更
【補正の内容】
【００２０】
複数の提示表示は第１の複数のコンテンツアイテムのコンテンツアイテムの異なる提示シーケンスに相当する。これにより、異なるコンテンツ提示信号を生成する効率的な方法を簡単、かつ容易に実行することができる。
【手続補正５】
【補正対象書類名】明細書
【補正対象項目名】００２１
【補正方法】変更
【補正の内容】
【００２１】
ユーザ機器は複数の提示表示から第１の提示表示を選択するための提示表示選択手段を含む。これにより、ユーザ機器のユーザに特に適する適切なコンテンツ提示信号を生成することができる。選択手段は、提示表示を所定の選択基準又は保存済み選択基準に従って選択するように動作する自動手段とすることができる。例えば、選択基準は、ユーザ機器に保存されるユーザプロファイルに基づくものとすることができる。
【手続補正６】
【補正対象書類名】明細書
【補正対象項目名】００４０
【補正方法】変更
【補正の内容】
【００４０】
本発明の第２の態様では、セルラー通信システムの加入者装置を提供する。この加入者装置は、セルラー通信システムのエアインターフェースを通して第１の複数のコンテンツアイテムを受信するためのコンテンツアイテム受信手段と、第１の複数のコンテンツアイテムを保存するためのコンテンツアイテム保存手段と、第１の複数のコンテンツアイテムのコンテンツアイテムの異なる提示シーケンスに各々相当する複数の提示表示を含むコンテンツアイテムシーケンス情報を受信するためのコンテンツアイテムシーケンス情報受信手段と、第１の複数のコンテンツアイテムのサブセットを形成する第２の複数のコンテンツアイテムに相当する第１の提示表示を複数の提示表示から選択するための提示表示選択手段と、第１の提示表示に応答して、コンテンツアイテム保存手段から複数のコンテンツアイテムを取り出すためのコンテンツアイテム取出手段と、第１の提示表示に応答して、取り出した複数のコンテンツアイテムを提示するためのコンテンツアイテム提示手段とを備える。
【手続補正７】
【補正対象書類名】明細書
【補正対象項目名】００４３
【補正方法】変更
【補正の内容】
【００４３】
本発明の第３の態様では、セルラー通信システムの動作方法が提供される。この方法は、第１の複数のコンテンツアイテムを１つ以上のユーザ機器に送信する工程と、第１の複数のコンテンツアイテムのコンテンツアイテムの異なる提示シーケンスに各々相当する複数の提示表示を含むコンテンツアイテムシーケンス情報を送信する工程とからなり、同１つ以上のユーザ機器は、第１の複数のコンテンツアイテムを受信する工程と、第１の複数のコンテンツアイテムを保存する工程と、コンテンツアイテムシーケンス情報を受信する工程と、第１の複数のコンテンツアイテムのサブセットを形成する第２の複数のコンテンツアイテムに相当する第１の提示表示を複数の提示表示から選択する工程と、第１の提示表示に応答して、保存するための手段から複数のコンテンツアイテムを取り出す工程と、第１の提示表示に応答して、複数のコンテンツアイテムを提示する工程とを実行する。
【国際調査報告】
2007504689.tif 000005
2007504689.tif 000006
2007504689.tif 000007